(57)【要約】【課題】  本発明は、通常の使用電力量の計測表示の他に、消費者ニーズの高い付加情報の保存や異常電圧の計測をすることができる多機能型の電子式電力量計を提供する。【解決手段】  本発明の電子式電力量計は、検出した交流電圧及び交流電流に基づいて、使用した電力量を算出する電力演算手段と、該電力演算手段により算出した電力量に関するデータを記憶する不揮発性メモリとを備えた電子式電力量計において、前記検出した交流電圧及び／又は交流電流に関するデータを所定のタイミングで電力演算手段から取得し、前記不揮発性メモリに書き込む計測データ記録手段と、前記検出した交流電圧から直流電圧を生成し、該直流電圧と予め設定された所定電圧値との比較結果に基づいて、前記直流電圧が異常電圧であるか否かを判定し、異常電圧であると判定した場合には、かかる状況に関するデータを前記不揮発性メモリに書き込む異常電圧検出記録手段を有することを特徴とする。【選択図】        図１
2005172689.tif 000002
【特許請求の範囲】
【請求項１】
検出した交流電圧及び交流電流に基づいて、使用した電力量を算出する電力演算手段と、該電力演算手段により算出した電力量に関するデータを記憶する不揮発性メモリとを備えた電子式電力量計において、
前記検出した交流電圧及び／又は交流電流に関するデータを所定のタイミングで電力演算手段から取得し、前記不揮発性メモリに書き込む計測データ記録手段を有することを特徴とする電子式電力量計。
【請求項２】
検出した交流電圧及び交流電流に基づいて、使用した電力量を算出する電力演算手段と、該電力演算手段により算出した電力量に関するデータを記憶する不揮発性メモリとを備えた電子式電力量計において、
前記検出した交流電圧から直流電圧を生成し、該直流電圧と予め設定された所定電圧値との比較結果に基づいて、前記直流電圧が異常電圧であるか否かを判定し、異常電圧であると判定した場合には、かかる状況に関するデータを前記不揮発性メモリに書き込む異常電圧検出記録手段を有することを特徴とする電子式電力量計。
【発明の詳細な説明】
【技術分野】
【０００１】
本発明は、電圧値、電流値の保存や異常電圧の検出等も行える多機能型の電子式電力量計に関する。
【背景技術】
【０００２】
図２は、従来の一般的な電子式電力量計の内部構成を示すブロック図である。図２において、Ｐ１〜Ｐ３は電柱等のトランスから出る引き込み線と接続する内部電線Ｌ１〜Ｌ３に供給される交流電圧値を検出するプローブであり、１は外部からの衝撃性雑音、サージ電圧等の侵入を阻止する保護回路、２はＰ１、Ｐ３で検出した電圧の極性を生成する分圧回路、ＣＴ１、ＣＴ２はＬ１、Ｌ３を通過する電流量を検出する変流器、３は分圧回路２からの出力電圧とＣＴ１及びＣＴ２からの検出電流値に基づき使用電力量を算出する電力演算回路、４は各回路の制御を行うＣＰＵ、５は算出した使用電力量等を記憶するＥＥＰＲＯＭ等の不揮発性メモリ、６は算出した使用電力量の表示を行う表示部、７は供給された交流電圧から内部電源を生成し、各回路に供給する電源回路である。
【０００３】
上記構成の電子式電力量計において、検出した電圧値と電流値を乗算して所定時間の電力量を求め、これらを積算することで使用電力量を算出する。算出した使用電力量に関するデータは、いったん不揮発性メモリ５に記憶され、ＣＰＵ４によって所定のサイクルで読み出され、表示部６に表示される。
【発明の開示】
【発明が解決しようとする課題】
【０００４】
上記従来の電子式電力量計は、使用した電力量の計測表示を行うのみであったが、かかる電力量計を設置する消費者からは、受電点の電圧・電流管理を目的として、これらの実効値の変動情報等も提供して欲しいといった要望も少なくない。
【０００５】
また、上記従来の電子式電力量計では、異常電圧の検出やかかる状況の保存等の手段を備えていないため、異常電圧の印加が原因と思われる計器損傷等のトラブルが発生した場合、その要因分析が困難であるという問題があった。
【０００６】
本発明は、このような課題を解決するためになされたもので、その第１の目的は、使用電力量以外の消費者ニーズの高い、受電点の電圧値や電流値に関する情報も保存できる多機能型の電子式電力量計を提供することである。
【０００７】
また、本発明の第２の目的は、異常電圧の検出及びその状況に関するデータを保存できる多機能型の電子式電力量計を提供することである。
【課題を解決するための手段】
【０００８】
本発明に係る電子式電力量計は、検出した交流電圧及び交流電流に基づいて、使用した電力量を算出する電力演算手段と、該電力演算手段により算出した電力量に関するデータを記憶する不揮発性メモリとを備えた電子式電力量計において、前記検出した交流電圧及び／又は交流電流に関するデータを所定のタイミングで電力演算手段から取得し、前記不揮発性メモリに書き込む計測データ記録手段を有することを特徴とする。
【０００９】
上記構成の電子式電力量計によれば、不揮発性メモリ（ＥＥＰＲＯＭを使用するのが一般的）に書き込まれるデータは、電力演算手段により算出した電力量に関するデータ（検針を主たる目的とする表示用データ）のみでなく、電力演算手段で使用する検出した交流電圧や交流電流に関するデータ（例えば、これらの実効値等、以下「付加情報データ」と呼ぶ。）も所定のタイミング（例えば３０分間隔等）で書き込まれる。
【００１０】
これらの付加情報データの取り出しは、別途設ける通信手段によってデータ送信することで可能となる。具体的には、検針時に用いるデータ収集端末（ハンディターミナル）と行う赤外線通信や光通信回線を使用した通信方式等が想定できる。
【００１１】
また、本発明の他の観点の電子式電力量計は、検出した交流電圧及び交流電流に基づいて、使用した電力量を算出する電力演算手段と、該電力演算手段により算出した電力量に関するデータを記憶する不揮発性メモリとを備えた電子式電力量計において、前記検出した交流電圧から直流電圧を生成し、該直流電圧と予め設定された所定電圧値との比較結果に基づいて、前記直流電圧が異常電圧であるか否かを判定し、異常電圧であると判定した場合には、かかる状況に関するデータを前記不揮発性メモリに書き込む異常電圧検出記録手段を有することを特徴とする。
【００１２】
上記構成の電子式電力量計によれば、検出した交流電圧から直流電圧を生成する回路を設け、そこで生成した直流電圧値と予め設定された所定電圧値とを比較することによって、異常電圧の検出を行う。具体的には、例えば、上記所定電圧値に許容できる印加電圧の最大電圧値を設定し、生成した直流電圧値がこれを超えている場合に異常電圧が検出されたと判定する。そして、異常電圧を検出した場合には、例えば、検出日時、検出した（直流）電圧値及び異常が継続した時間等からなるデータ（以下「異常検出データ」と呼ぶ。）を生成し、不揮発性メモリに書き込む。
【００１３】
かかる異常検出データは、上記付加情報データの場合と同様に、別途設ける通信手段（ハンディターミナルと行う赤外線通信や光通信回線を使用したデータ通信等）によって取り出すことが可能となる。
【発明の効果】
【００１４】
以上のように、本発明によれば、通常の使用電力量の計測表示の他に受電点の電圧値や電流値に関する付加的な情報も保存できるので、消費者ニーズの高い優れた機能を有する多機能型の電子式電力量計を提供することができる。
【００１５】
また、本発明の電子式電力量計は、異常電圧を検出する機能を備え、異常電圧を検出した際には、その状況に関するデータを保存できるので、異常電圧の印加等による計器トラブルが発生した場合等は、かかるデータを取り出して分析することで、その要因解明を容易にすることが可能となる。
【発明を実施するための最良の形態】
【００１６】
以下、本発明に係る電子式電力量計の一実施形態について図面を基に説明する。
【００１７】
図１は、本実施形態に係る電子式電力量計の内部構成を示すブロック図である。図２において、従来の電子式電力計の内部構成（図２）と同等の部分については、同一符号が付されている。
【００１８】
図１に示すように、本実施形態に係る電子式電力量計は、従来の構成（図２）に加えて、電力演算回路から電圧値及び電流値データがＣＰＵに出力される構成が新たに追加され、また、異常電圧検出用回路３０が新たに追加された構成となっている。本実施形態に係る電子式電力量計は、これら新規追加された構成により、従来の電子式電力量計にない、新たな機能（付加情報データ記録機能及び異常検出データ記録機能）を備えた点に特徴を持つ。
【００１９】
［付加情報データ記録機能］
先ず、付加情報データ（検出した交流電圧や交流電流に関するデータ）記録機能について説明する。尚、本実施形態において、ＣＰＵ２０は計測データ記録手段を構成する。ＣＰＵ２０は、一定周期毎に（例えば３０分毎のサイクル）で電力演算回路１０に対して、検出電圧及び電流に関するデータ（付加情報データ）を要求する信号を出力する。電力演算回路１０は、これを受けると、その時点での処理（使用電力量の算出処理）で使用している検出電圧及び電流に関するデータ（本実施形態では、Ｐ１、Ｐ３で検出した電圧の実効値及びＣＴ１、ＣＴ２で検出した通過電流の実効値データとする。）をＣＰＵ２０に出力する。
【００２０】
ＣＰＵ２０は、これを受けると、不揮発性メモリ５に当該付加情報データを書き込む。具体的に説明すると、不揮発性メモリ５には、予め付加情報データの記録用に所定の領域範囲からなるメモリ領域が用意されている。ＣＰＵ２０は、この領域の先頭から順に付加情報データを書き込む。尚、当該領域がフル（新たに付加情報データを追加記録できる空きサイズがない状態）になった場合には、記録されたデータの古い順に上書きする（輪環的更新）方法を採用する。
【００２１】
不揮発性メモリ５に書き込まれた付加情報データは、図示しない通信手段によって、取り出しが可能となる。この場合、具体的には、検針時に用いるデータ収集端末（ハンディターミナル）との間で行う赤外線通信によるデータ転送や光通信回線を使用したデータ転送等が想定できる。
【００２２】
［異常検出データ記録機能］
次に、異常電圧の検出及びその状況に関するデータ記録機能について説明する。尚、本実施形態において、ＣＰＵ２０及び異常電圧検出用回路３０は、異常電圧検出記録手段を構成する。本実施形態に係る電子式電力量計は、その内部回路構成において、Ｐ１〜Ｐ３で検出された交流電圧が、保護回路１及び分圧回路２を経て電力演算回路１０に入力されるラインの他、保護回路１を経て異常電圧検出用回路３０に入力されるラインが設けられている。
【００２３】
異常電圧検出用回路３０は、その内部に分圧回路３１、Ｐ１整流・平滑回路３２及びＰ３整流・平滑回路３３を有しており、保護回路１から出力されるＰ１〜Ｐ３検出（交流）電圧からＰ１及びＰ３の直流電圧の生成を行う。
【００２４】
ＣＰＵ２０は、異常電圧検出用回路３０で生成されたＰ１及びＰ３の直流電圧を入力し、内蔵されたＡ／Ｄコンバータにより、これを数値変換し、そして、この値（直流電圧値）が異常電圧値であるか否かの判定を行う。異常電圧であるか否かの判定は、予め設定されている印加電圧の最大許容電圧値と比較し、生成した直流電圧値がこれを超えている場合に異常電圧が検出されたものとみなす。
【００２５】
ＣＰＵ２０は、異常電圧を検出すると、異常検出データの生成を行う。異常検出データは、検出日時、直流電圧値及び異常が継続した時間の３項目からなるデータである。そして、生成した異常検出データを不揮発性メモリ５に書き込む。具体的に説明すると、前述した付加情報データの記録の場合と同様に、不揮発性メモリ５には、異常検出データの記録用に予め所定の領域範囲からなるメモリ領域が用意され、ＣＰＵ２０は、この領域の先頭から順に付加情報データを書き込む。そして、付加情報データの記録の場合と同様に、当該領域がフルになった場合には、記録されたデータの古い順に上書きしてデータの更新を行う。
【００２６】
不揮発性メモリ５に書き込まれた異常検出データの取り出しは、前述した付加情報データの場合と同様に、図示しない通信手段によるデータ転送（ハンディターミナルとの間で行う赤外線通信や光通信回線を使用したデータ転送等）によって行うことが可能となる。
【００２７】
尚、本発明に係る電子式電力量計は、上記実施形態に限定されるものではなく、本発明の要旨を逸脱しない範囲で種々の変更が可能である。
【００２８】
例えば、上記実施形態においては、不揮発性メモリに保存する付加情報データは、Ｐ１、Ｐ３で検出した電圧の実効値及びＣＴ１、ＣＴ２で検出した通過電流の実効値データとしているが、これに限定されるものでなく、電力演算回路から取得可能なデータを基に生成できるのであれば、消費者のニーズに応じて、如何なる内容としても構わない。
【００２９】
また、不揮発性メモリに保存する異常検出データの内容も、上記実施形態に限定されるものでなく、異常電圧の印加状況の把握や分析等ができるデータ内容であれば良い。
【００３０】
また、上記実施形態では、不揮発性メモリとしてＥＥＰＲＯＭを使用しているがフラッシュメモリを採用することも可能である。
【図面の簡単な説明】
【００３１】
【図１】本発明の一実施形態に係る電子式電力量計の内部構成を示すブロック図である。
【図２】従来の電子式電力量計の内部構成を示すブロック図である。
【符号の説明】
【００３２】
１  保護回路
２、３１  分圧回路
３、１０  電力演算回路
４、２０  ＣＰＵ
５  不揮発性メモリ
６  表示部
７  電源回路
３０  異常電圧検出用回路
３２  Ｐ１整流・平滑回路
３３  Ｐ３整流・平滑回路
Ｌ１〜Ｌ３  内部電線
ＣＴ１、ＣＴ２  変流器
Ｐ１〜Ｐ３  プローブ
【図１】
2005172689.tif 000003
【図２】
2005172689.tif 000004